(57)【要約】  図２の展開図に示すように、ねじれ溝１６ａ、１６ｃのリード角αが軸心まわりに隣接するねじれ溝１６ｂ、１６ｄのリード角βと相違させられることにより、ねじれ溝１６ａ、１６ｃに沿って設けられた切れ刃２０ａ、２０ｃのリード角αが軸心まわりに隣接する切れ刃２０ｂ、２０ｄのリード角βと相違させられており、それ等の切れ刃２０ａ〜２０ｄの間隔が軸方向において連続的に変化させられているため、軸心Ｓまわりにおける切れ刃２０ａ〜２０ｄの間隔が不等になる。これにより、ねじを切削加工する際の切削抵抗の増減が不規則になり、共振によりビビリ振動が発生することが抑制され、種々の加工条件下で優れた加工精度でねじを切削加工できるようになる。
2009057192.tif 000002
【特許請求の範囲】
【請求項１】
外周部にリードの無い凸条が軸方向に一定のピッチで多数設けられるとともに、該凸条と交差するように複数の溝が設けられることにより複数のランドに分断され、該ランドの周方向の一端にそれぞれ該溝に沿って切れ刃が形成されているねじ切りフライスにおいて、
前記複数の切れ刃は、それぞれ一定のリードで設けられているとともに、少なくとも一つの切れ刃のリードが軸心まわりに隣接する切れ刃のリードと相違させられ、それ等の切れ刃の間隔が軸方向において連続的に変化させられている
ことを特徴とするねじ切りフライス。
【請求項２】
外周部にリードの無い凸条が軸方向に一定のピッチで多数設けられるとともに、該凸条と交差するように複数の溝が設けられることにより複数のランドに分断され、該ランドの周方向の一端にそれぞれ該溝に沿って切れ刃が形成されているねじ切りフライスにおいて、
前記複数の切れ刃は、前記多数の凸条が設けられた刃部の軸方向の所定の中間位置では軸心まわりにおいて等間隔であるが、該中間位置から先端側および後端側へずれるとそれぞれ不等間隔になる
ことを特徴とするねじ切りフライス。
【請求項３】
前記複数の切れ刃は、それぞれ一定のリードで設けられているとともに、少なくとも一つの切れ刃のリードが軸心まわりに隣接する切れ刃のリードと相違させられることにより、それ等の切れ刃の間隔が前記中間位置から先端側および後端側へ向かうに従って対称的に滑らかに増減させられている
ことを特徴とする請求項２に記載のねじ切りフライス。
【請求項４】
前記複数の溝はそれぞれ一定の幅寸法および一定のリードで設けられているとともに、少なくとも一つの溝のリードが軸心まわりに隣接する溝のリードと相違させられることにより、該一つの溝に沿って設けられた切れ刃のリードが軸心まわりに隣接する切れ刃のリードと相違させられている
ことを特徴とする請求項３に記載のねじ切りフライス。
【請求項５】
前記複数の溝は互いに等しい一定のリードで設けられているとともに、少なくとも一つの溝の幅寸法がリニアに増加または減少させられることにより、該溝に沿って設けられた切れ刃のリードが軸心まわりに隣接する切れ刃のリードと相違させられている
ことを特徴とする請求項３に記載のねじ切りフライス。
【請求項６】
前記複数の切れ刃は２種類の異なるリードで交互に偶数設けられている
ことを特徴とする請求項１〜５の何れか１項に記載のねじ切りフライス。
【請求項７】
前記複数の切れ刃は、Ｌ１およびＬ２の２種類のリードで設けられているとともに、小さい方のリードＬ２は０．７×Ｌ１〜０．９５×Ｌ１の範囲内で設定されている
ことを特徴とする請求項１〜６の何れか１項に記載のねじ切りフライス。
【請求項８】
前記複数の切れ刃は、前記刃部の軸方向の中央部において等間隔とされている
ことを特徴とする請求項２〜７の何れか１項に記載のねじ切りフライス。
【発明の詳細な説明】
【技術分野】
【０００１】
本発明はねじ切りフライスに係り、特に、工具のビビリ振動が抑制されて優れた加工精度が得られるねじ切りフライスに関するものである。
【背景技術】
【０００２】
外周部にリードの無い凸条が軸方向に一定のピッチで多数設けられるとともに、その凸条と交差するように複数の溝が設けられることにより複数のランドに分断され、そのランドの周方向の一端にそれぞれその溝に沿って切れ刃が形成されているねじ切りフライスが知られている（特許文献１参照）。そして、このようなねじ切りフライスによれば、ＮＣマシニングセンタなどにより、軸心まわりに回転駆動するとともにねじ素材に対して相対的に公転させつつ軸方向へリード送りすることにより、単一の工具を用いて上記凸条に対応する溝断面を有する種々の径寸法のおねじやめねじを切削加工することができる。
【特許文献１】特開平９−１９２９３０号公報
【発明の開示】
【発明が解決しようとする課題】
【０００３】
しかしながら、このような従来のねじ切りフライスは、複数の切れ刃が互いに等しい一定のリードで、且つ工具の軸心まわりにおいて等間隔で設けられているため、ねじを切削加工する際に一定の周期で切削抵抗が増減することにより振動が発生し、且つ共振により増幅されることによりビビリ振動が生じて、ねじのフランク等に波形状の凹凸が生じるなどして加工精度が低下したり異音が発生したりすることがあり、このようなビビリ振動を防止するために切削条件を下げることを余儀なくされていた。【０００４】
本発明は以上の事情を背景として為されたもので、その目的とするところは、種々の切削条件下で工具のビビリ振動が抑制され、優れた加工精度でねじを切削加工できるようにすることにある。
【課題を解決するための手段】
【０００５】
かかる目的を達成するために、第１発明は、外周部にリードの無い凸条が軸方向に一定のピッチで多数設けられるとともに、その凸条と交差するように複数の溝が設けられることにより複数のランドに分断され、そのランドの周方向の一端にそれぞれその溝に沿って切れ刃が形成されているねじ切りフライスにおいて、前記複数の切れ刃は、それぞれ一定のリードで設けられているとともに、少なくとも一つの切れ刃のリードが軸心まわりに隣接する切れ刃のリードと相違させられ、それ等の切れ刃の間隔が軸方向において連続的に変化させられていることを特徴とする。【０００６】
第２発明は、外周部にリードの無い凸条が軸方向に一定のピッチで多数設けられるとともに、その凸条と交差するように複数の溝が設けられることにより複数のランドに分断され、そのランドの周方向の一端にそれぞれその溝に沿って切れ刃が形成されているねじ切りフライスにおいて、前記複数の切れ刃は、前記多数の凸条が設けられた刃部の軸方向の所定の中間位置では軸心まわりにおいて等間隔であるが、その中間位置から先端側および後端側へずれるとそれぞれ不等間隔になることを特徴とする。【０００７】
第３発明は、第２発明のねじ切りフライスにおいて、前記複数の切れ刃は、それぞれ一定のリードで設けられているとともに、少なくとも一つの切れ刃のリードが軸心まわりに隣接する切れ刃のリードと相違させられることにより、それ等の切れ刃の間隔が前記中間位置から先端側および後端側へ向かうに従って対称的に滑らかに増減させられていることを特徴とする。【０００８】
第４発明は、第３発明のねじ切りフライスにおいて、前記複数の溝はそれぞれ一定の幅寸法および一定のリードで設けられているとともに、少なくとも一つの溝のリードが軸心まわりに隣接する溝のリードと相違させられることにより、その一つの溝に沿って設けられた切れ刃のリードが軸心まわりに隣接する切れ刃のリードと相違させられていることを特徴とする。【０００９】
第５発明は、第３発明のねじ切りフライスにおいて、前記複数の溝は互いに等しい一定のリードで設けられているとともに、少なくとも一つの溝の幅寸法がリニアに増加または減少させられることにより、その溝に沿って設けられた切れ刃のリードが軸心まわりに隣接する切れ刃のリードと相違させられていることを特徴とする。【００１０】
第６発明は、第１発明〜第５発明の何れかのねじ切りフライスにおいて、前記複数の切れ刃は２種類の異なるリードで交互に偶数設けられていることを特徴とする。【００１１】
第７発明は、第１発明〜第６発明の何れかのねじ切りフライスにおいて、前記複数の切れ刃は、Ｌ１およびＬ２の２種類のリードで設けられているとともに、小さい方のリードＬ２は０．７×Ｌ１〜０．９５×Ｌ１の範囲内で設定されていることを特徴とする。【００１２】
第８発明は、第２発明〜第７発明の何れかのねじ切りフライスにおいて、前記複数の切れ刃は、前記刃部の軸方向の中央部において等間隔とされていることを特徴とする。
【発明の効果】
【００１３】
第１発明のねじ切りフライスにおいては、複数の切れ刃がそれぞれ一定のリードで設けられているとともに、少なくとも一つの切れ刃のリードが軸心まわりに隣接する切れ刃のリードと相違させられ、それ等の切れ刃の間隔が軸方向において連続的に変化させられているため、軸心まわりにおける切れ刃の間隔が不等になる。これにより、ねじを切削加工する際の切削抵抗の増減が不規則になり、共振によりビビリ振動が発生することが抑制され、種々の加工条件下で優れた加工精度でねじを切削加工できるようになる。また、複数の切れ刃のリードが何れも一定であることから、そのような切れ刃を容易に高い精度で形成することができる。【００１４】
第２発明のねじ切りフライスにおいては、刃部の軸方向の所定の中間位置では複数の切れ刃が等間隔に位置しているが、その中間位置から先端側および後端側へずれるとそれぞれ不等間隔になるため、その中間位置の近傍を含んでねじの切削加工が行われることにより、刃部の軸方向において中間位置の前後における偏荷重が緩和され、その中間位置を中心としてねじの切削加工が安定して行われるようになる。これにより、その中間位置の両側における切れ刃の不等間隔と相まってビビリ振動が一層効果的に抑制され、種々の加工条件下で優れた加工精度でねじを切削加工できるようになる。【００１５】
第３発明では、複数の切れ刃がそれぞれ一定のリードで設けられているとともに、少なくとも一つの切れ刃のリードが軸心まわりに隣接する切れ刃のリードと相違させられることにより、それ等の切れ刃の間隔が前記中間位置から先端側および後端側へ向かうに従って対称的に増減させられているため、その中間位置を中心としてねじの切削加工が一層安定して行われるようになるとともに、切れ刃のリードが何れも一定であることから、そのような切れ刃を容易に高い精度で形成することができる。【００１６】
第４発明では、複数の溝が何れも一定の幅寸法および一定のリードで設けられているとともに、少なくとも一つの溝のリードが軸心まわりに隣接する溝のリードと相違させられることにより、その一つの溝に沿って設けられた切れ刃のリードが軸心まわりに隣接する切れ刃のリードと相違させられているため、例えば溝を研削加工するために工具素材をリード送りする際の回転速度または送り速度を変化させて溝のリードを変化させるだけで、所定のリードの切れ刃を簡単且つ安価に高い精度で形成することができる。【００１７】
第５発明では、複数の溝が互いに等しい一定のリードで設けられているとともに、少なくとも一つの溝の幅寸法がリニアに増加または減少させられることにより、その溝に沿って設けられた切れ刃のリードが軸心まわりに隣接する切れ刃のリードと相違させられているため、例えば溝を研削加工する研削砥石の姿勢を変化させて溝の幅寸法を連続的に変化させるだけで、所定のリードの切れ刃を簡単且つ安価に高い精度で形成することができる。【００１８】
第６発明では、複数の切れ刃が２種類の異なるリードで交互に偶数設けられているため、４枚刃以上の多数刃のねじ切りフライスにおいても、一つの切れ刃のリードを変化させるだけの場合に比較して、切削抵抗の周期変化に起因するビビリ振動が効果的に抑制される。【００１９】
第７発明では、複数の切れ刃がＬ１およびＬ２の２種類のリードで設けられているとともに、小さい方のリードＬ２は０．７×Ｌ１〜０．９５×Ｌ１の範囲内で設定されており、リードＬ１の９５％以下であるため、リードの相違に伴う切れ刃の不等間隔によるビビリ振動の抑制効果が安定して得られる。また、リードＬ２はリードＬ１の７０％以上であるため、例えば４枚刃のねじ切りフライスにおいても隣接する切れ刃が交差しない範囲で、ねじを切削加工できる刃部として所定の軸方向長さを確保することができる。【００２０】
第８発明では、複数の切れ刃が刃部の軸方向の中央部において等間隔とされているが、一般に刃部の中央部を含んでねじの切削加工が行われるため、特に刃部のうち加工に関与する部位を意識的に設定することなく、偏荷重やビビリ振動を抑制して加工精度を向上させる効果が安定して得られる。
【図面の簡単な説明】
【００２１】
【図１】本発明の一実施例であるねじ切りフライスを示す図で、(a) は正面図、(b) は拡大底面図、(c) は(a) におけるIC−IC拡大断面図、(d) は(a) におけるID−ID拡大断面図である。
【図２】図１のねじ切りフライスの刃部の外周部に設けられたねじれ溝、ランド、および切れ刃を軸心Ｓまわりに展開して示す図である。
【図３】図１のねじ切りフライスを用いてめねじを切削加工する際の手順の一例を説明する図である。
【図４】本発明品（不等リード）および比較品（等リード）を用いてめねじを切削加工した場合に、ｘｙｚ方向の切削抵抗を測定して、その合力の変動を比較して示す図である。
【図５】図４と同じねじ加工時のｘｙ方向の切削抵抗の合力の変動を比較して示す図である。
【図６】図４と同じねじ加工時のｚ方向の切削抵抗の変動を比較して示す図である。
【図７】図４〜図６の切削抵抗の変動を分析した結果を説明する図である。
【図８】本発明の他の実施例を説明する図で、ねじれ溝の幅寸法を連続的にリニアに変化させて複数の切れ刃を不等リードとした場合の図２に対応する展開図である。
【符号の説明】
【００２２】
１０：ねじ切りフライス    １４：刃部    １６ａ〜１６ｄ、４０ａ〜４０ｄ：ねじれ溝（溝）    １８ａ〜１８ｄ、４２ａ〜４２ｄ：ランド    ２０ａ〜２０ｄ、４４ａ〜４４ｄ：切れ刃    Ｓ：軸心    α、β：リード角
【発明を実施するための最良の形態】
【００２３】
本発明のねじ切りフライスは、ＮＣマシニングセンタなどにより、軸心まわりに回転駆動されるとともにねじ素材（被加工物）に対して相対的に公転しつつ軸方向へリード送りされることにより、単一の工具を用いて径寸法が異なる種々のおねじやめねじを切削加工することができる。めねじの切削加工は、有底の止り穴であっても貫通した通り穴であっても良い。【００２４】
また、ねじ切りフライスは、凸条によってねじ溝のみを切削加工し、下穴の内周面がそのままめねじのねじ山の山頂を構成したり、円柱素材の外周面がそのままおねじのねじ山の山頂を構成したりする場合でも良いが、凸条の間の底部も切削加工に寄与し、ねじ山の山頂を含めて切削加工を行う総形切れ刃を有するものでも良い。【００２５】
複数の溝は、シャンク側から見た切削回転方向と同じ方向にねじれているねじれ溝が好適に採用されるが、逆方向にねじれているねじれ溝を設けることもできるし、軸心と平行な直溝を採用することもできる。直溝は、リードが無限大の溝に相当する。【００２６】
第１発明は、少なくとも切れ刃が不等リードであれば良く、軸心まわりにおいて切れ刃が等間隔に位置する部位（第２発明の中間位置）を備えている必要はなく、刃部の全長に亘って切れ刃が不等間隔であっても差し支えない。なお、リードはねじれ角やリード角に対応するため、リードの代わりにねじれ角やリード角で規定することもできる。他の発明についても同様である。【００２７】
第２発明において複数の切れ刃の間隔は、所定の中間位置を挟んで刃部の軸方向において対称的に滑らかに増減すること、すなわち不等間隔の不等割合が滑らかに拡大することが望ましいが、非対称に増減する場合でも良い。すなわち、第３発明では複数の切れ刃が何れも一定のリードで形成されているため、不等割合が中間位置を挟んで対称的にリニアに拡大するが、第２発明の実施に際しては、切れ刃のリードが途中で変化したり連続的に変化したりしていても良く、必ずしも不等割合が対称的に拡大する必要はない。【００２８】
また、複数の切れ刃の間隔が刃部の全域において変化していても良いが、例えば刃部の後端部近傍或いは先端部近傍等の一部で、切れ刃の不等割合が一定すなわち切れ刃のリードが等しくされても良い。第１発明や第３発明においても、必ずしも刃部の全域で切れ刃が一定のリードである必要はなく、例えば刃部の９０％以上の範囲でリードが一定であれば良く、刃部の後端部近傍や先端部近傍でリードが多少変化していても良い。第４発明および第５発明の溝のリードについても同様である。【００２９】
切れ刃が等間隔となる所定の中間位置は、第８発明のように刃部の軸方向の中央部が望ましいが、先端側或いは後端側へ偏った位置であっても良い。第８発明の「中央部」は、幾何学的に軸方向の中央のみを意味するものではなく、刃部の軸方向寸法の５％以下の範囲で中央から先端側または後端側へずれていても中央部と見做すことができる。【００３０】
第５発明では、溝の幅寸法がリニアに増加または減少させられており、例えば溝を研削加工する研削砥石の姿勢を連続的に変化させることによって幅寸法を変化させることができるが、リードが異なる複数の溝を部分的に重複させて形成することにより、全体として幅寸法がリニアに変化している溝を形成することもできるなど、種々の態様が可能である。【００３１】
第６発明は偶数刃のねじ切りフライスに関するもので、リードが交互に相違させられているが、他の発明の実施に際しては、３枚刃等の奇数刃のねじ切りフライスを採用することもできるし、複数の切れ刃の１つのリードを残りの切れ刃のリードと相違させるだけでも良い。【００３２】
第７発明では、小さい方のリードＬ２が大きい方のリードＬ１の７０％〜９５％の範囲内で設定されているが、刃部の軸方向寸法が短い場合や刃数が少ない場合にはリードＬ２を７０％より小さくしても差し支えないなど、他の発明の実施に際しては、この範囲を超えてリードＬ２を設定することも可能である。【００３３】
ねじ切りフライスの材質としては、高速度工具鋼や超硬合金等の硬質工具材料が好適に用いられるとともに、切れ刃が設けられる刃部には、必要に応じてＴｉＡｌＮ等の硬質被膜をコーティングすることが望ましい。
【実施例】
【００３４】
以下、本発明の実施例を、図面を参照しつつ詳細に説明する。
図１は、本発明の一実施例であるねじ切りフライス１０を示す図で、(a) は軸心Ｓと直角方向から見た正面図、(b) は(a) の下方である先端側から見た拡大底面図、(c) は(a) におけるIC−IC断面の拡大図、(d) は(a) におけるID−ID断面の拡大図であり、マシニングセンタ等の主軸に把持されるシャンク１２と刃部１４とを軸方向に一体に備えている。刃部１４の外周部には、形成すべきめねじ３０（図３参照）等のねじ溝に対応する断面形状のリードの無い凸条が軸方向にめねじ３０と同じピッチＰで多数設けられており、その凸条を分断するように４本のねじれ溝１６ａ〜１６ｄが設けられることにより４つのランド１８ａ〜１８ｄに分断され、それ等のランド１８ａ〜１８ｄの周方向の一端にそれぞれねじれ溝１６ａ〜１６ｄに沿って切れ刃２０ａ〜２０ｄが設けられている。本実施例のねじ切りフライス１０は、刃部１４の軸方向長さが約２６ｍｍで、直径は約９．５ｍｍ、上記凸条のピッチＰは１．７５ｍｍであり、超硬合金にて一体に構成されているとともに、刃部１４の表面にはＴｉＡｌＮの硬質被膜がコーティングされている。【００３５】
このねじ切りフライス１０は、シャンク１２側から見て右まわりに回転駆動されることにより切削加工を行うもので、ねじれ溝１６ａ〜１６ｄは何れもその切削回転方向と同じ右まわりにねじれている。これ等のねじれ溝１６ａ〜１６ｄは、図２の展開図から明らかなように、それぞれ一定のリードおよび一定の幅寸法で設けられているが、交互にリードが相違させられている。すなわち、ねじれ溝１６ａ、１６ｃのリードＬ１は、ねじれ溝１６ｂ、１６ｄのリードＬ２よりも大きく、リードＬ２はリードＬ１の７０％〜９５％の範囲内で、本実施例では約８３％とされており、具体的にはリードＬ１＝６０ｍｍ、リードＬ２＝５０ｍｍで、ねじれ溝１６ａ、１６ｃのリード角α≒６３°３４′、ねじれ溝１６ｂ、１６ｄのリード角β≒５９°１０′である。また、これ等のねじれ溝１６ａ〜１６ｄは、刃部１４の軸方向における中央部（本実施例では略中央）で軸心Ｓまわりにおいて等間隔になり、先端側および後端側へ向かうに従って間隔が対称的に滑らかリニアに増減させられており、ランド１８ａ〜１８ｄのランド幅（図２における左右方向の寸法）は、そのねじれ溝１６ａ〜１６ｄの間隔変化に対応して、刃部１４の軸方向の中央部では略同じであるが、先端側および後端側へ向かうに従って交互に増減させられている。すなわち、ランド１８ａおよび１８ｃのランド幅は、刃部１４の先端から後端へ向かうに従って滑らかにリニアに漸増させられている一方、ランド１８ｂおよび１８ｄのランド幅は、刃部１４の先端から後端へ向かうに従って滑らかにリニアに漸減させられている。【００３６】
このようにねじれ溝１６ａ〜１６ｄが不等リードで設けられることにより、それ等のねじれ溝１６ａ〜１６ｄに沿って設けられた切れ刃２０ａ〜２０ｄも不等リードとされ、軸心Ｓまわりにおける切れ刃２０ａ〜２０ｄの間隔が軸方向において滑らかにリニアに変化させられている。すなわち、ねじれ溝１６ａ、１６ｃに沿って設けられた切れ刃２０ａ、２０ｃは、それ等のねじれ溝１６ａ、１６ｃと同じリードＬ１（リード角α）で傾斜しているのに対し、ねじれ溝１６ｂ、１６ｄに沿って設けられた切れ刃２０ｂ、２０ｄは、それ等のねじれ溝１６ｂ、１６ｄと同じリードＬ２（リード角β）で傾斜しているのであり、刃部１４の軸方向における中央部では軸心Ｓまわりにおいて等間隔であるが、先端側および後端側へ向かうに従って間隔が対称的に滑らかにリニアに増減させられて、不等間隔の不等割合すなわち間隔が狭い部分の寸法と広い部分の寸法との比が拡大している。具体的には、切れ刃２０ａと２０ｂとの間隔、および切れ刃２０ｃと２０ｄとの間隔は、何れも刃部１４の先端から後端へ向かうに従って滑らかにリニアに漸増させられている一方、切れ刃２０ｂと２０ｃとの間隔、および切れ刃２０ｄと２０ａとの間隔は、何れも刃部１４の先端から後端へ向かうに従って滑らかにリニアに漸減させられており、刃部１４の軸方向の中央部では等間隔であるが、その中央部から先端側および後端側へずれると不等間隔となり、且つ先端側および後端側へ向かうに従って不等間隔の不等割合がリニアに拡大している。本実施例では、切れ刃２０ａ〜２０ｄが等間隔となる中央部が所定の中間位置に相当する。【００３７】
そして、このようなねじ切りフライス１０を用いてめねじ３０を切削加工する際には、先ず、図３の(a) に示すように、めねじ３０を加工すべきねじ素材としての被加工物３２に対して、前記刃部１４よりも大径で且つめねじ３０の内径寸法と同じか僅かに小さい径寸法の下穴３４を形成するとともに、必要に応じてその下穴３４の口元（開口部）にテーパ形状の面取り３６を設ける。図３は、止り穴のめねじ３０を加工する場合で、下穴３４も底部を備えている。【００３８】
次に、図３の(b) に示すように、マシニングセンタ等の３次元加工機の主軸に取り付けられたねじ切りフライス１０を前記下穴３４の中心線Ｏに沿って下穴３４内に挿入し、(c) に示すように、ねじ切りフライス１０を軸心まわりに回転駆動しつつ、約９０°のアプローチ範囲で下穴３４の内周面に滑らかに食い付かせる。そして、その状態で(d) に示すように、ねじ切りフライス１０を軸心Ｓまわりに回転駆動しつつ、下穴３４の中心線Ｏまわりに３６０°公転させるとともに、凸条の１ピッチＰ分だけ軸方向へリード送りすることにより、目的とするめねじ３０を切削加工する。本実施例では、ねじ切りフライス１０を左まわりに公転させるとともに、１ピッチＰ分だけシャンク１２側へ後退させることにより、右ねじのめねじ３０を切削加工する。この時、切れ刃２０ａ〜２０ｄが等間隔に位置する刃部１４の中央部を含んで、その中央部がめねじ３０の軸方向の略中央に位置する状態で、そのめねじ３０の切削加工が行われる。その後、(e) に示すように９０°のリリース範囲でねじ切りフライス１０を滑らかに下穴３４の内周面から離間させて中心線Ｏまで戻し、(f) に示すように中心線Ｏに沿って引き抜くことにより、一連のねじ切削加工が終了する。【００３９】
ここで、本実施例のねじ切りフライス１０は、複数の切れ刃２０ａ〜２０ｄがそれぞれ一定のリードＬ１（リード角α）またはＬ２（リード角β）で設けられているとともに、切れ刃２０ａ、２０ｃのリードＬ１が軸心Ｓまわりに隣接する切れ刃２０ｂ、２０ｄのリードＬ２と相違させられ、それ等の切れ刃２０ａ〜２０ｄの間隔が軸方向において連続的に変化させられているため、軸心Ｓまわりにおける切れ刃２０ａ〜２０ｄの間隔が不等になる。これにより、ねじ（めねじ３０等）を切削加工する際の切削抵抗の増減が不規則になり、共振によりビビリ振動が発生することが抑制され、種々の加工条件下で優れた加工精度でねじを切削加工できるようになる。【００４０】
また、刃部１４の軸方向の中央部では複数の切れ刃２０ａ〜２０ｄが等間隔に位置しているが、その中央部から先端側および後端側へずれるとそれぞれ不等間隔になるため、その中央部の近傍を含んでねじ（めねじ３０等）の切削加工が行われることにより、刃部１４の軸方向において中央部の前後における偏荷重が緩和され、その中央部を中心としてねじの切削加工が安定して行われるようになる。これにより、中央部の両側における切れ刃２０ａ〜２０ｄの不等間隔と相まってビビリ振動が一層効果的に抑制され、種々の加工条件下で優れた加工精度でねじを切削加工できるようになる。【００４１】
また、本実施例では複数の切れ刃２０ａ〜２０ｄがそれぞれ一定のリードＬ１（リード角α）またはＬ２（リード角β）で設けられているとともに、切れ刃２０ａ、２０ｃのリードＬ１が軸心Ｓまわりに隣接する切れ刃２０ｂ、２０ｄのリードＬ２と相違させられることにより、それ等の切れ刃２０ａ〜２０ｄの間隔が中央部から先端側および後端側へ向かうに従って対称的に増減させられているため、その中央部を中心としてねじの切削加工が一層安定して行われるようになるとともに、切れ刃２０ａ〜２０ｄのリードＬ１、Ｌ２が何れも一定であることから、そのような切れ刃２０ａ〜２０ｄを容易に高い精度で形成することができる。【００４２】
また、本実施例では、複数のねじれ溝２０ａ〜２０ｄが何れも一定の幅寸法および一定のリードＬ１（リード角α）またはＬ２（リード角β）で設けられているとともに、ねじれ溝１６ａ、１６ｃのリードＬ１が軸心Ｓまわりに隣接するねじれ溝１６ｂ、１６ｄのリードＬ２と相違させられることにより、そのねじれ溝１６ａ、１６ｃに沿って設けられた切れ刃２０ａ、２０ｃのリードＬ１が軸心Ｓまわりに隣接する切れ刃２０ｂ、２０ｄのリードＬ２と相違させられているため、例えばそれ等のねじれ溝１６ａ〜１６ｄを研削加工するために工具素材をリード送りする際の回転速度または送り速度を変化させてねじれ溝１６ａ〜１６ｄのリードを変化させるだけで、所定のリードＬ１およびＬ２の切れ刃２０ａ〜２０ｄを簡単且つ安価に高い精度で形成することができる。【００４３】
また、本実施例では、４枚の切れ刃２０ａ〜２０ｄが２種類の異なるリードＬ１（リード角α）、Ｌ２（リード角β）で交互に偶数設けられているため、４枚の切れ刃２０ａ〜２０ｄの中の何れか一つのリードを変化させるだけの場合に比較して、切削抵抗の周期変化に起因するビビリ振動が効果的に抑制される。【００４４】
また、本実施例では、複数の切れ刃２０ａ〜２０ｄがＬ１およびＬ２の２種類のリードで設けられているとともに、小さい方のリードＬ２は０．７×Ｌ１〜０．９５×Ｌ１の範囲内で設定されており、リードＬ１の９５％以下であるため、リードの相違に伴う切れ刃２０ａ〜２０ｄの不等間隔によるビビリ振動の抑制効果が安定して得られる。また、リードＬ２はリードＬ１の７０％以上であるため、４枚刃のねじ切りフライス１０においても隣接する切れ刃が交差しない範囲で、ねじを切削加工できる刃部１４として所定の軸方向長さを確保することができる。【００４５】
また、本実施例では、複数の切れ刃２０ａ〜２０ｄが刃部１４の軸方向の中央部において等間隔とされているが、一般に刃部１４の中央部を含んでねじの切削加工が行われるため、特に刃部１４のうち加工に関与する部位を意識的に設定することなく、偏荷重やビビリ振動を抑制して加工精度を向上させる効果が安定して得られる。【００４６】
因みに、本実施例のねじ切りフライス１０と、ねじれ溝１６ａ〜１６ｄのリードが何れもＬ２、すなわち切れ刃２０ａ〜２０ｄのリードがＬ２（＝５０ｍｍ）でリード角がβ（≒５９°１０′）であり、且つ軸心Ｓまわりにおいて等間隔で設けられている比較品とを用いて、以下の加工条件でめねじの切削加工を行い、ｘｙｚ方向の切削抵抗（Ｎ）を測定して比較したところ、図４〜図７に示す結果が得られた。ｘｙ方向の切削抵抗は、軸心Ｓと直角な方向すなわち軸心Ｓまわりの回転負荷や公転に対する負荷であり、ｚ方向は軸方向の負荷である。なお、加工条件の中の「ゼロカット１公転」は、より高い形状精度が要求される場合に行われるもので、切込み寸法０で切削加工と同じ加工（自転および公転）を繰り返す。
（加工条件）
・被削材：ＳＣＭ４４０（４０ＨＲＣ）
・切削速度Ｖ：５０ｍ／ｍｉｎ
・１刃当りの送り速度ｆ：０．０５ｍｍ／ｔ
・加工めねじサイズ：Ｍ１２×１．７５（止り穴）
・ねじ立て長さ：約２０ｍｍ
・切削油：水溶性切削油剤
・ねじ立て態様：切削加工１公転＋ゼロカット１公転
・機械：たて型マシニングセンタ【００４７】
図４〜図７において、不等リードは本発明品のことで、等リードは比較品のことであり、図４〜図６のグラフの縦軸は切削抵抗（Ｎ）、横軸は時間（秒）であり、約１０秒で１公転させられる。また、図４は、ｘｙｚ方向の切削抵抗の合力の変動を示すグラフで、図５は、ｘｙ方向の切削抵抗の合力の変動を示すグラフで、図６は、ｚ方向の切削抵抗の変動を示すグラフであり、図７は、これ等の切削抵抗のデータに基づいて平均値や最大値、最小値、標準偏差σを算出した結果である。そして、図４、図６のグラフおよび図７の(a) 、(c) の算出値から明らかなように、本発明品（不等リード）の方が比較品（等リード）に比べて切削抵抗の変動幅や標準偏差σが小さく、ビビリ振動が大幅に改善されることが分かる。図５および図７(b) のｘｙ方向の切削抵抗に関するグラフや算出値については、本発明品と比較品とで大きな差が無いため、ｚ方向（軸方向）の切削抵抗による振動が特に改善されたものと考えられる。【００４８】
なお、上記実施例では、２種類のリードＬ１およびＬ２で一定の幅寸法のねじれ溝１６ａ〜１６ｄが設けられることにより、複数の切れ刃２０ａ〜２０ｄが不等リードとされていたが、図８に示すように、複数のねじれ溝４０ａ〜４０ｄが互いに等しい一定のリードで設けられるとともに、ねじれ溝４０ａ、４０ｃについては先端から後端に向かうに従って幅寸法がリニアに減少させられる一方、残りのねじれ溝４０ｂ、４０ｄについては先端から後端に向かうに従って幅寸法がリニアに増加させられることにより、それ等のねじれ溝４０ａ〜４０ｄに沿って設けられた切れ刃４４ａ〜４４ｄを不等リードとし、軸心Ｓまわりにおける切れ刃４４ａ〜４４ｄの間隔を軸方向において滑らかにリニアに変化させることもできる。図８の一点鎖線はねじれ溝４０ａ〜４０ｄの中心線で、互いに平行すなわち等リードであるが、各ねじれ溝４０ａ〜４０ｄは、それぞれ中心線に対して対称的に幅寸法が増減させられている。また、ねじれ溝４０ａおよび４０ｃとねじれ溝４０ｂおよび４０ｄとは、刃部１４の中央部を挟んで軸方向において対称的に幅寸法が増減させられており、それ等のねじれ溝４０ａ〜４０ｄによって形成される４つのランド４２ａ〜４２ｄのランド幅は、互いに略同じで且つ軸方向において全長に亘って略一定とされている。【００４９】
そして、上記ねじれ溝４０ａ、４０ｃに沿って設けられる切れ刃４４ａ、４４ｃについては、前記切れ刃２０ａ、２０ｃと同様にリードＬ１（リード角α）で傾斜させられ、ねじれ溝４０ｂ、４０ｄに沿って設けられる切れ刃４４ｂ、４４ｄについては、前記切れ刃２０ｂ、２０ｄと同様にリードＬ２（リード角β）で傾斜させられている。また、刃部１４の軸方向における中央部では軸心Ｓまわりにおいて切れ刃４４ａ〜４４ｄは等間隔であるが、先端側および後端側へ向かうに従って間隔が対称的に滑らかにリニアに増減させられて、不等間隔の不等割合が拡大させられており、前記実施例と同様の作用効果が得られる。【００５０】
この場合にはまた、ねじれ溝４０ａおよび４０ｃの幅寸法が先端から後端に向かうに従って減少させられ、ねじれ溝４０ｂおよび４０ｄの幅寸法が先端から後端に向かうに従って増加させられることにより、切れ刃４４ａ、４４ｃのリードＬ１が軸心Ｓまわりに隣接する切れ刃４４ｂ、４４ｄのリードＬ２と相違させられているため、例えばねじれ溝４０ａ〜４０ｄを研削加工する研削砥石の姿勢を変化させてねじれ溝４０ａ〜４０ｄの幅寸法を変化させるだけで、所定のリードＬ１およびＬ２の切れ刃４４ａ〜４４ｄを簡単且つ安価に高い精度で形成することができる。【００５１】
以上、本発明の実施例を図面に基づいて詳細に説明したが、これ等はあくまでも一実施形態であり、本発明は当業者の知識に基づいて種々の変更、改良を加えた態様で実施することができる。
【産業上の利用可能性】
【００５２】
本発明のねじ切りフライスは、複数の切れ刃の少なくとも一つのリードが軸心まわりに隣接する切れ刃のリードと相違させられるなどして、軸心まわりにおける切れ刃の間隔が不等とされているため、ねじを切削加工する際の切削抵抗の増減が不規則になる。これにより、共振によりビビリ振動が発生することが抑制され、種々の加工条件下で高精度のねじを切削加工する際に好適に用いられる。
【図１】
2009057192.tif 000003
【図２】
2009057192.tif 000004
【図３】
2009057192.tif 000005
【図４】
2009057192.tif 000006
【図５】
2009057192.tif 000007
【図６】
2009057192.tif 000008
【図７】
2009057192.tif 000009
【図８】
2009057192.tif 000010
【手続補正書】
【提出日】平成20年6月17日(2008.6.17)
【手続補正１】
【補正対象書類名】特許請求の範囲
【補正対象項目名】請求項１
【補正方法】変更
【補正の内容】
【請求項１】
外周部にリードの無い凸条が軸方向に一定のピッチで多数設けられるとともに、該凸条と交差するように複数の溝が設けられることにより複数のランドに分断され、該ランドの周方向の一端にそれぞれ該溝に沿って切れ刃が形成されているねじ切りフライスにおいて、
前記複数の切れ刃は、何れも軸心まわりの同じ方向にねじれているか軸心と平行であるとともに、それぞれ一定のリードで設けられている一方、少なくとも一つの切れ刃のリードが軸心まわりに隣接する切れ刃のリードと相違させられ、それ等の切れ刃の間隔が軸方向において連続的に変化させられている
ことを特徴とするねじ切りフライス。
【手続補正２】
【補正対象書類名】特許請求の範囲
【補正対象項目名】請求項２
【補正方法】変更
【補正の内容】
【請求項２】
外周部にリードの無い凸条が軸方向に一定のピッチで多数設けられるとともに、該凸条と交差するように複数の溝が設けられることにより複数のランドに分断され、該ランドの周方向の一端にそれぞれ該溝に沿って切れ刃が形成されているねじ切りフライスにおいて、
前記複数の切れ刃は、何れも軸心まわりの同じ方向にねじれているか軸心と平行であるとともに、前記多数の凸条が設けられた刃部の軸方向の所定の中間位置では軸心まわりにおいて等間隔であるが、該中間位置から先端側および後端側へずれるとそれぞれ不等間隔になる
ことを特徴とするねじ切りフライス。
【手続補正３】
【補正対象書類名】明細書
【補正対象項目名】０００２
【補正方法】変更
【補正の内容】
【０００２】
［０００５］
かかる目的を達成するために、第１発明は、外周部にリードの無い凸条が軸方向に一定のピッチで多数設けられるとともに、その凸条と交差するように複数の溝が設けられることにより複数のランドに分断され、そのランドの周方向の一端にそれぞれその溝に沿って切れ刃が形成されているねじ切りフライスにおいて、前記複数の切れ刃は、何れも軸心まわりの同じ方向にねじれているか軸心と平行であるとともに、それぞれ一定のリードで設けられている一方、少なくとも一つの切れ刃のリードが軸心まわりに隣接する切れ刃のリードと相違させられ、それ等の切れ刃の間隔が軸方向において連続的に変化させられていることを特徴とする。
［０００６］
第２発明は、外周部にリードの無い凸条が軸方向に一定のピッチで多数設けられるとともに、その凸条と交差するように複数の溝が設けられることにより複数のランドに分断され、そのランドの周方向の一端にそれぞれその溝に沿って切れ刃が形成されているねじ切りフライスにおいて、前記複数の切れ刃は、何れも軸心まわりの同じ方向にねじれているか軸心と平行であるとともに、前記多数の凸条が設けられた刃部の軸方向の所定の中間位置では軸心まわりにおいて等間隔であるが、その中間位置から先端側および後端側へずれるとそれぞれ不等間隔になることを特徴とする。
［０００７］
第３発明は、第２発明のねじ切りフライスにおいて、前記複数の切れ刃は、それぞれ一定のリードで設けられているとともに、少なくとも一つの切れ刃のリードが軸心まわりに隣接する切れ刃のリードと相違させられることにより、それ等の切れ刃の間隔が前記中間位置から先端側および後端側へ向かうに従って対称的に滑らかに増減させられていることを特徴とする。
［０００８］
第４発明は、第３発明のねじ切りフライスにおいて、前記複数の溝はそれぞれ一定の幅寸法および一定のリードで設けられているとともに、少なくとも一つの溝のリードが軸心まわりに隣接する溝のリードと相違させられることにより、その一つの溝に沿って設けられた切れ刃のリードが軸心まわりに隣接する切れ刃のリードと相違させられていることを特徴とする。
［０００９］
第５発明は、第３発明のねじ切りフライスにおいて、前記複数の溝は互いに等しい一定のリードで設けられているとともに、少なくとも一つの溝の幅寸法がリニアに増加または減少させられることにより、その溝に沿って設けられた切れ刃のリードが軸心まわりに隣接する切れ刃のリードと相違させられていることを特徴とする。
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
外周部に、形成すべきめねじのねじ溝に対応する断面形状のリードの無い凸条が軸方向に一定のピッチで多数設けられるとともに、該凸条と交差するように複数の溝が設けられることにより複数のランドに分断され、該ランドの周方向の一端にそれぞれ該溝に沿って切れ刃が形成されているねじ切りフライスにおいて、
前記複数の切れ刃は、何れも軸心まわりの同じ方向にねじれているか軸心と平行であるとともに、それぞれ一定のリードで設けられている一方、少なくとも一つの切れ刃のリードが軸心まわりに隣接する切れ刃のリードと相違させられ、それ等の切れ刃の該軸心まわりの間隔が軸方向において連続的に変化させられている
ことを特徴とするねじ切りフライス。
【請求項２】
外周部に、形成すべきめねじのねじ溝に対応する断面形状のリードの無い凸条が軸方向に一定のピッチで多数設けられるとともに、該凸条と交差するように複数の溝が設けられることにより複数のランドに分断され、該ランドの周方向の一端にそれぞれ該溝に沿って切れ刃が形成されているねじ切りフライスにおいて、
前記複数の切れ刃は、何れも軸心まわりの同じ方向にねじれているか軸心と平行であるとともに、該複数の切れ刃が設けられた刃部の軸方向の所定の中間位置では軸心まわりにおいて等間隔であるが、該中間位置から先端側および後端側へずれるとそれぞれ不等間隔になる
ことを特徴とするねじ切りフライス。
【請求項３】
前記複数の切れ刃は、それぞれ一定のリードで設けられているとともに、少なくとも一つの切れ刃のリードが軸心まわりに隣接する切れ刃のリードと相違させられることにより、それ等の切れ刃の該軸心まわりの間隔が前記中間位置から先端側および後端側へ向かうに従って対称的に滑らかに増減させられている
ことを特徴とする請求項２に記載のねじ切りフライス。
【請求項４】
前記複数の溝はそれぞれ一定の幅寸法および一定のリードで設けられているとともに、少なくとも一つの溝のリードが軸心まわりに隣接する溝のリードと相違させられることにより、該一つの溝に沿って設けられた切れ刃のリードが軸心まわりに隣接する切れ刃のリードと相違させられている
ことを特徴とする請求項３に記載のねじ切りフライス。
【請求項５】
前記複数の溝は互いに等しい一定のリードで設けられているとともに、少なくとも一つの溝の幅寸法がリニアに増加または減少させられることにより、該溝に沿って設けられた切れ刃のリードが軸心まわりに隣接する切れ刃のリードと相違させられている
ことを特徴とする請求項３に記載のねじ切りフライス。
【請求項６】
前記複数の切れ刃は２種類の異なるリードで交互に偶数設けられている
ことを特徴とする請求項１〜５の何れか１項に記載のねじ切りフライス。
【請求項７】
前記複数の切れ刃は、Ｌ１およびＬ２の２種類のリードで設けられているとともに、小さい方のリードＬ２は０．７×Ｌ１〜０．９５×Ｌ１の範囲内で設定されている
ことを特徴とする請求項１〜６の何れか１項に記載のねじ切りフライス。
【請求項８】
前記複数の切れ刃は、該複数の切れ刃が設けられた刃部の軸方向の中央部において軸心まわりに等間隔とされている
ことを特徴とする請求項１〜７の何れか１項に記載のねじ切りフライス。
【手続補正２】
【補正対象書類名】明細書
【補正対象項目名】０００２
【補正方法】変更
【補正の内容】
【０００２】
［０００５］
かかる目的を達成するために、第１発明は、外周部に、形成すべきめねじのねじ溝に対応する断面形状のリードの無い凸条が軸方向に一定のピッチで多数設けられるとともに、その凸条と交差するように複数の溝が設けられることにより複数のランドに分断され、そのランドの周方向の一端にそれぞれその溝に沿って切れ刃が形成されているねじ切りフライスにおいて、前記複数の切れ刃は、何れも軸心まわりの同じ方向にねじれているか軸心と平行であるとともに、それぞれ一定のリードで設けられている一方、少なくとも一つの切れ刃のリードが軸心まわりに隣接する切れ刃のリードと相違させられ、それ等の切れ刃のその軸心まわりの間隔が軸方向において連続的に変化させられていることを特徴とする。
なお、上記「リード」は、軸心まわりに１回転した際に軸方向に進む距離を意味している。
［０００６］
第２発明は、外周部に、形成すべきめねじのねじ溝に対応する断面形状のリードの無い凸条が軸方向に一定のピッチで多数設けられるとともに、その凸条と交差するように複数の溝が設けられることにより複数のランドに分断され、そのランドの周方向の一端にそれぞれその溝に沿って切れ刃が形成されているねじ切りフライスにおいて、前記複数の切れ刃は、何れも軸心まわりの同じ方向にねじれているか軸心と平行であるとともに、その複数の切れ刃が設けられた刃部の軸方向の所定の中間位置では軸心まわりにおいて等間隔であるが、その中間位置から先端側および後端側へずれるとそれぞれ不等間隔になることを特徴とする。
［０００７］
第３発明は、第２発明のねじ切りフライスにおいて、前記複数の切れ刃は、それぞれ一定のリードで設けられているとともに、少なくとも一つの切れ刃のリードが軸心まわりに隣接する切れ刃のリードと相違させられることにより、それ等の切れ刃のその軸心まわりの間隔が前記中間位置から先端側および後端側へ向かうに従って対称的に滑らかに増減させられていることを特徴とする。
［０００８］
第４発明は、第３発明のねじ切りフライスにおいて、前記複数の溝はそれぞれ一定の幅寸法および一定のリードで設けられているとともに、少なくとも一つの溝のリードが軸心まわりに隣接する溝のリードと相違させられることにより、その一つの溝に沿って設けられた切れ刃のリードが軸心まわりに隣接する切れ刃のリードと相違させられていることを特徴とする。
［０００９］
第５発明は、第３発明のねじ切りフライスにおいて、前記複数の溝は互いに等しい一定のリードで設けられているとともに、少なくとも一つの溝の幅寸法がリニアに増加または減少させられることにより、その溝に沿って設けられた切れ刃のリードが軸心まわりに隣接する切れ刃のリードと相違させられていることを特徴とする。
【手続補正３】
【補正対象書類名】明細書
【補正対象項目名】０００３
【補正方法】変更
【補正の内容】
【０００３】
［００１０］
第６発明は、第１発明〜第５発明の何れかのねじ切りフライスにおいて、前記複数の切れ刃は２種類の異なるリードで交互に偶数設けられていることを特徴とする。
［００１１］
第７発明は、第１発明〜第６発明の何れかのねじ切りフライスにおいて、前記複数の切れ刃は、Ｌ１およびＬ２の２種類のリードで設けられているとともに、小さい方のリードＬ２は０．７×Ｌ１〜０．９５×Ｌ１の範囲内で設定されていることを特徴とする。
［００１２］
第８発明は、第１発明〜第７発明の何れかのねじ切りフライスにおいて、前記複数の切れ刃は、その複数の切れ刃が設けられた刃部の軸方向の中央部において軸心まわりに等間隔とされていることを特徴とする。
発明の効果
［００１３］
第１発明のねじ切りフライスにおいては、複数の切れ刃がそれぞれ一定のリードで設けられているとともに、少なくとも一つの切れ刃のリードが軸心まわりに隣接する切れ刃のリードと相違させられ、それ等の切れ刃の間隔が軸方向において連続的に変化させられているため、軸心まわりにおける切れ刃の間隔が不等になる。これにより、ねじを切削加工する際の切削抵抗の増減が不規則になり、共振によりビビリ振動が発生することが抑制され、種々の加工条件下で優れた加工精度でねじを切削加工できるようになる。また、複数の切れ刃のリードが何れも一定であることから、そのような切れ刃を容易に高い精度で形成することができる。
［００１４］
第２発明のねじ切りフライスにおいては、刃部の軸方向の所定の中間位置では複数の切れ刃が等間隔に位置しているが、その中間位置から先端側および後端側へずれるとそれぞれ不等間隔になるため、その中間位置の近傍を含んでねじの切削加工が行われることにより、刃部の軸方向において中間位置の前後における偏荷重が緩和され、その中間位置を中心としてねじの切削加工が安定して行われるようになる。これにより、その中間位置の両側における切れ刃の不等間隔と相まってビビリ振動が一層効果的に抑制され、種々の加工条件下で優れた加工精度でねじを切削加工できるようになる。
［００１５］
第３発明では、複数の切れ刃がそれぞれ一定のリードで設けられているとともに、少なくとも一つの切れ刃のリードが軸心まわりに隣接する切れ刃のリードと相違させられることにより、それ等の切れ刃の間隔が前記中間位置から先端側および後端側へ向
【手続補正４】
【補正対象書類名】明細書
【補正対象項目名】０００８
【補正方法】変更
【補正の内容】
【０００８】
り４つのランド１８ａ〜１８ｄに分断され、それ等のランド１８ａ〜１８ｄの周方向の一端にそれぞれねじれ溝１６ａ〜１６ｄに沿って切れ刃２０ａ〜２０ｄが設けられている。本実施例のねじ切りフライス１０は、刃部１４の軸方向長さが約２６ｍｍで、直径は約９．５ｍｍ、上記凸条のピッチＰは１．７５ｍｍであり、超硬合金にて一体に構成されているとともに、刃部１４の表面にはＴｉＡｌＮの硬質被膜がコーティングされている。なお、図１（ａ）において刃部１４の左右の両側部に示されている三角形の凹凸、およびその凹凸に対応して各ランド１８ａ〜１８ｄに示されている軸心Ｓと直角な互いに平行な多数の横線は、リードの無い多数の凸条を表している。また、４本のねじれ溝１６ａ〜１６ｄは、凸条と交差するように設けられる複数の溝に相当する。
［００３５］
このねじ切りフライス１０は、シャンク１２側から見て右まわりに回転駆動されることにより切削加工を行うもので、ねじれ溝１６ａ〜１６ｄは何れもその切削回転方向と同じ右まわりにねじれている。これ等のねじれ溝１６ａ〜１６ｄは、図２の展開図から明らかなように、それぞれ一定のリードおよび一定の幅寸法で設けられているが、交互にリードが相違させられている。すなわち、ねじれ溝１６ａ、１６ｃのリードＬ１は、ねじれ溝１６ｂ、１６ｄのリードＬ２よりも大きく、リードＬ２はリードＬ１の７０％〜９５％の範囲内で、本実施例では約８３％とされており、具体的にはリードＬ１＝６０ｍｍ、リードＬ２＝５０ｍｍで、ねじれ溝１６ａ、１６ｃのリード角α≒６３°３４′、ねじれ溝１６ｂ、１６ｄのリード角β≒５９°１０′である。また、これ等のねじれ溝１６ａ〜１６ｄは、刃部１４の軸方向における中央部（本実施例では略中央）で軸心Ｓまわりにおいて等間隔になり、先端側および後端側へ向かうに従って間隔が対称的に滑らかリニアに増減させられており、ランド１８ａ〜１８ｄのランド幅（図２における左右方向の寸法）は、そのねじれ溝１６ａ〜１６ｄの間隔変化に対応して、刃部１４の軸方向の中央部では略同じであるが、先端側および後端側へ向かうに従って交互に増減させられている。すなわち、ランド１８ａおよび１８ｃのランド幅は、刃部１４の先端から後端へ向かうに従って滑らかにリニアに漸増させられている一方、ランド１８ｂおよび１８ｄのランド幅は、刃部１４の先端から後端へ向かうに従って滑らかにリニアに漸減させられている。
［００３６］
このようにねじれ溝１６ａ〜１６ｄが不等リードで設けられることにより、それ等のねじれ溝１６ａ〜１６ｄに沿って設けられた切れ刃２０ａ〜２０ｄも不等リードとされ、軸心Ｓまわりにおける切れ刃２０ａ〜２０ｄの間隔が軸方向において滑らかにリニアに変化させられている。すなわち、ねじれ溝１６ａ、１６ｃに沿って設けられた切れ刃２０ａ、２０ｃは、それ等のねじれ溝１６ａ、１６ｃと同じリードＬ１（リード角α）で傾斜しているのに対し、ねじれ溝１６ｂ、１６ｄに沿って設けられた切れ刃２０ｂ、２０ｄは、それ等のねじれ溝１６ｂ、１６ｄ
【手続補正５】
【補正対象書類名】図面
【補正対象項目名】図８
【補正方法】変更
【補正の内容】
【図８】
2009057192.tif 000011
【国際調査報告】
2009057192.tif 000012
2009057192.tif 000013